【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
離間的に配置された複数のスピーカと、
前記複数のスピーカに各々音声信号を供給すると共に前記各々の音声信号の調整処理をする音響調整手段と、
前記複数のスピーカの各々に対応して設けた複数の受信装置と、
聴取位置に対応して配した無線送信装置と、
前記無線送信装置から送信される無線信号の前記複数の受信装置における受信状況に基づき、前記複数のスピーカに対する前記聴取位置の相対的位置関係を検出する相対位置検出手段とを有し、
前記相対位置検出手段からの出力信号に応じて、前記音響調整手段において前記各々の音声信号に対して所望の調整処理を行うことを特徴とする音響調整システム。
【請求項２】
請求項１記載の音響調整システムにおいて、
前記無線送信装置の無線送信信号は可聴周波数帯域に属さない周波数を有することを特徴とする音響調整システム。
【請求項３】
請求項１記載の音響調整システムにおいて、
前記複数の受信装置のそれぞれは更に受信レベル検出手段を有し、前記無線信号の所定周波数の受信レベルの検出を当該複数の受信レベル検出手段により行い、
前記複数の受信レベル検出手段から入力される複数の受信レベルを前記相対位置検出手段において解析処理することにより、前記複数のスピーカに対する前記聴取位置の相対的位置関係を検出することを特徴とする音響調整システム。
【請求項４】
請求項１、２又は３に記載の音響調整システムにおいて、
前記音響調整手段における前記各々の音声信号に対する所望の調整処理は、
音声信号に対するレベル調整及び周波数特性補正の少なくともいずれか一方の調整処理を含むことを特徴とする音響調整システム。
【請求項５】
離間配置された複数のスピーカに対応して設けられた複数の受信装置と無線接続可能とされ、
聴取位置に対応して配した無線送信装置から送信される無線信号の前記複数の受信装置における受信状況を検出し、
前記複数の受信装置における受信状況に基づき、前記複数のスピーカに対する前記聴取位置の相対的位置関係を得るようにしたことを特徴とする音場検出装置。
【請求項６】
離間的に配置された複数のスピーカの音響を調整する音響調整方法であって、
聴取位置に対応して無線信号を送信する送信ステップと、
前記複数のスピーカの各々に対応して前記無線信号を受信する受信ステップと、
前記受信ステップにおける前記無線信号の受信状況に基づき、前記複数のスピーカに対する前記聴取位置の相対的位置関係を検出する相対位置検出ステップと、
前記相対位置検出ステップにおける検出結果に応じ、前記複数のスピーカに供給される音声信号を調整処理する音響調整ステップと、を有することを特徴とする音響調整方法。
【手続補正２】
【補正対象書類名】明細書
【補正対象項目名】発明の名称
【補正方法】変更
【補正の内容】
【発明の名称】音響調整システム、音場検出装置及び音響調整方法
【手続補正３】
【補正対象書類名】明細書
【補正対象項目名】０００１
【補正方法】変更
【補正の内容】
【０００１】
本発明は、例えば、家庭内において、ＤＶＤ（Digital Versatile Disc）等のマルチチャンネルのコンテンツを楽しむ環境において、最適な音響再生環境になるように出力される音声信号に対して自動調整を行うようにした音響調整システム、音場検出装置及び音響調整方法に関する。
【手続補正４】
【補正対象書類名】明細書
【補正対象項目名】００１０
【補正方法】変更
【補正の内容】
【００１０】
然しながら、特許文献１に示す如き、自動音響調整機能を搭載したＡＶアンプ装置１００を使用した音響調整装置は聴取者（聴取位置）の周囲に配置されたスピーカＬ，Ｃ，Ｒ，ＳＬ，ＳＲ，Ｓｕｂよりテスト音声を放音し、聴取位置に設置されたマイクロホンＭｉｃにより収音し、この収音した収音テスト信号と元のテスト信号とを信号処理により音響解析を行い、この解析結果に基づいて各チャンネルに対する調整パラメータを生成し、各チャンネルの音声信号に対して最適な調整を施すようにしているので、聴取者が映画等の音声再生中に聴取位置を変更することはできない。
【手続補正５】
【補正対象書類名】明細書
【補正対象項目名】００１１
【補正方法】変更
【補正の内容】
【００１１】
即ち、映画等の音声再生中にスピーカＬ，Ｃ，Ｒ，ＳＬ，ＳＲ，Ｓｕｂからテスト音声を放音し、マイクロホンＭｉｃで収音するようにしたときには、ハウリング等ノイズが発生することとなる。
【手続補正６】
【補正対象書類名】明細書
【補正対象項目名】００１２
【補正方法】変更
【補正の内容】
【００１２】
本発明は、斯る点に鑑み、映画等の音声再生中に聴取位置を変更しても各チャンネルの音声信号に対して最適な調整を施すことができるようにすることを目的とする。
【手続補正７】
【補正対象書類名】明細書
【補正対象項目名】００１３
【補正方法】変更
【補正の内容】
【００１３】
本発明音響調整システムは、離間的に配置された複数のスピーカと、この複数のスピーカに各々音声信号を供給すると共にこの各々の音声信号の調整処理をする音響調整手段と、この複数のスピーカの各々に対応して設けた複数の受信装置と、聴取位置に対応して配した無線送信装置と、この無線送信装置から送信される無線信号のこの複数の受信装置における受信状況に基づき、この複数のスピーカに対するこの聴取位置の相対的位置関係を検出する相対位置検出手段とを有し、この相対位置検出手段からの出力信号に応じて、この音響調整手段においてこの各々の音声信号に対して所望の調整処理を行うものである。
【手続補正８】
【補正対象書類名】明細書
【補正対象項目名】００１４
【補正方法】変更
【補正の内容】
【００１４】
本発明によれば、聴取位置に無線送信装置を配し、複数のスピーカの各々に受信装置を設け、この受信装置の受信信号により聴取位置を検出することができ、映画等の音声再生中でも、何等支障なく相対位置検出手段の出力信号に応じて、音響調整手段において、各々の音声信号に対して所望の調整処理を行うことができる。
【手続補正９】
【補正対象書類名】明細書
【補正対象項目名】００１５
【補正方法】変更
【補正の内容】
【００１５】
以下、図１〜図４を参照して音響調整システム、音場検出装置及び音響調整方法を実施するための最良の形態の例につき説明する。
【手続補正１０】
【補正対象書類名】明細書
【補正対象項目名】００２５
【補正方法】変更
【補正の内容】
【００２５】
この６個の受信装置Ｒ１，Ｒ２‥‥Ｒ６の夫々の出力端子３ｅに得られる受信レベルを相対位置検出装置４に夫々供給し、この相対位置検出装置４においては、この無線送信装置２の配された聴取位置と受信装置Ｒ１，Ｒ２‥‥Ｒ６が設けられたスピーカＳＰ１，ＳＰ２‥‥ＳＰ６の位置との相対的位置関係を、之等の受信レベルより解析処理して求める。
【手続補正１１】
【補正対象書類名】明細書
【補正対象項目名】００３５
【補正方法】変更
【補正の内容】
【００３５】
以上述べた如く本例によれば、聴者位置に無線送信装置２を配し、複数のスピーカＳＰ１，ＳＰ２‥‥ＳＰ６の各々に受信装置Ｒ１，Ｒ２‥‥Ｒ６を設け、この受信装置Ｒ１，Ｒ２‥‥Ｒ６の受信信号により聴取位置を検出することができ、映画等の音声再生中でも、何等支障なく相対位置検出装置４の出力信号に応じて、ＡＶアンプ装置１において、各々の音声信号に対して所望の調整処理を行うことができる。
【手続補正１２】
【補正対象書類名】図面
【補正対象項目名】図６
【補正方法】変更
【補正の内容】
【図６】
2006254361.tif 000001